(57)【要約】      （修正有）【課題】旧態依然とした雛飾の新鮮味に欠けた状態を打破し、斬新な雛飾りとして楽しく飾ることが出来る桃の節句用雛飾の提供。【解決手段】親王１２・三人官女１７・五人囃子２１・隋身２３等の人形及び雛道具類を雛段３に飾る雛飾りに於いて、段床板上面後方に親王用段床４を設け、全面中央に階段５を設置し、貴人の屋敷とした屋形内に男女一対の親王１２を設けた親王飾６を親王用段床４上に載除可能とした親王段飾１と、段床板上面後方外寄りに親王用段床４より全体的に小さくした三人官女用段床１５を設け、前面中央に階段１６を設置し  三人官女用段床１５上の後に屏風１８を設けその前に三人官女を飾り、三人官女用段床前側に楽人や五人囃子等の人形を立傘と共に設けた三人官女段飾１３とを最上段に並設して雛るようにしたものである。【選択図】図１
0003135888.tif 000002
【実用新案登録請求の範囲】
【請求項１】
親王・三人官女・蹴鞠・五人囃子・隋身等の人形及び雛道具類を雛段に飾る雛飾りに於いて、段床板上面後方に親王用段床を設け、親王用段床全面中央に階段を設置し、貴人の屋敷とした屋形内に男女一対の親王を設けた親王飾を親王用段床上に載除可能とした親王段飾と、段床板上面後方外寄りに親王用段床より全体的に小さくした三人官女用段床を設け、三人官女用段床前面中央に階段を設置し三人官女用段床上の後に屏風を設けその前に三人官女を飾り、三人官女用段床前側に蹴鞠や五人囃子等の人形を立傘と共に設けた三人官女段飾とを最上段に並設して雛るようにしたことを特徴とする桃の節句用雛飾。
【考案の詳細な説明】
【技術分野】
【０００１】  本考案は、３月３日桃の節句に飾られる雛飾に関するものである。
【背景技術】
【０００２】  平安時代の昔から雛人形を飾っり、身体を清め病気にならないのを願って雛祭りを行なって来た。
そして今でもその伝統を受け継ぎ、３月３日は桃の節句として雛人形を飾って雛祭りをしている。
その雛人形の飾り方も年々豪華になり、五段更には七段等の数段飾となる一方で、豪華ではあるが場所を取らない一段飾がある。
【考案の開示】
【考案が解決しようとする課題】
【０００３】  しかしこのように一段から数段飾で豪華になってきた雛人形飾も、雛人形や道具類の飾り方では一般的なものと地方の特色を出したものなどがあるが、何れも従来と全く変わらず旧態依然としているため、マンネリ化し新鮮味に欠けた状態となって来ており、雛人形を飾って祝う桃の節句の雛祭り上非常に不都合を感じていた。
【課題を解決するための手段】
【０００４】  本考案はこのような不都合を解消し、一組の雛飾で狭い場所或は広い場所何れにも適応させて飾ることが出来而も今迄と全く違った雰囲気を醸し出すことが出来る桃の節句用雛飾を提供せんとするものである。【０００５】  親王・三人官女・蹴鞠・五人囃子・隋身等の人形及び雛道具類を雛段に飾る雛飾りに於いて、段床板上面後方に親王用段床を設け、親王用段床全面中央に階段を設置し  貴人の屋敷とした屋形内に男女一対の親王を設けた親王飾を親王用段床上に載除可能とした親王段飾と、段床板上面後方外寄りに親王用段床より全体的に小さくした三人官女用段床を設け、三人官女用段床前面中央に階段を設置し三人官女用段床上の後に屏風を設けその前に三人官女を飾り、三人官女用段床前側に蹴鞠や五人囃子等の人形を立傘と共に設けた三人官女段飾とを最上段に並設して雛るようにしたものである。【０００６】  使用に当たって、先ずその場所が広い場合は従来と同じように雛段を用い、最上段には雛段に向かって右側に三人官女段飾を左側に親王段飾を載置すると、三人官女用段床が外寄りに設けているため親王用段床間に間隔が出来、その間に通路を架設して関係を保たせて飾る。【０００７】  そして最上段以外には、蹴鞠や五人囃子や隋身の人形、更に御駕篭・重箱・御所車等の雛道具類を最上段に飾ったものと重なり合わないように飾る。
このように飾ると、最上段ががらりと違った飾り方のため全体的にも今迄と全く異なり斬新な雰囲気を漂わせ見た目にも美しく楽しい雛飾りとして飾って置くことが出来る。【０００８】  そして狭い場所に飾る場合は雛段を用いないで、親王段飾をそのまま必要な場所に設置して飾ればよい。
又、多少広いが高さに制限がある場所では、最上段の飾り方となるよう向かって右側に三人官女段飾を左側に親王段飾をその間に通路を架設して飾るようにしても良い。
更に、広さ高さ共に狭く制限される場所では、親王飾のみを飾るようにしても良い。【０００９】  このように、一組の雛飾で広い場所と狭い場所の何方に対しても対応が出来、飾り方もそれぞれに合わせて変えて飾ることが可能であると共に、広い場所では斬新な雰囲気を又狭い場所では簡素ながらも気品に満ちた雰囲気を漂わせながら飾ることが出来る。
【考案の効果】
【００１０】  上述の如く本考案の請求項１は、一組の雛飾で広い場所と狭い場所の何方に対しても対応が出来て飾ることが可能であり、最上段ががらりと違った飾り方のため、全体的にも今迄と全く異なり斬新な雰囲気を漂わせ、見た目にも美しいため  広い場所では優雅な雰囲気を又狭い場所では簡素ながらも雛飾の主体である親王に気品に満ちた雰囲気を漂わせながら飾ることが出来る。
以上の如く多くの特長があり実用上非常に優れた考案である。
【考案を実施するための最良の形態】
【００１１】  親王・三人官女・蹴鞠・五人囃子・隋身等の人形及び雛道具類を雛段に飾る雛飾りに於いて、段床板上面後方に親王用段床を設け、親王用段床全面中央に階段を設置し  貴人の屋敷とした屋形内に男女一対の親王を設けた親王飾を親王用段床上に載除可能とした親王段飾と、段床板上面後方外寄りに親王用段床より全体的に小さくした三人官女用段床を設け、三人官女用段床前面中央に階段を設置し三人官女用段床上の後に屏風を設けその前に三人官女を飾り、三人官女用段床前側に蹴鞠や五人囃子等の人形を立傘と共に設けた三人官女段飾とを最上段に並設して雛飾としたものである。
【実施例１】
【００１２】  本実施例は雛段を用いて広い場所にて雛飾りをする場合について説明する。
図中１は親王段飾全体を示し、２は雛段３の最上段を二分割した広さの段床板であって、上面後方に親王用段床４を設けると共に、全面中央に階段５を設置している。６は親王用段床４上に載除可能とした親王飾であって、屋根７・床８・柱９・屏風の代わりとした後飾壁１０を貴人の屋敷とした屋形からなり、飾床１１を床８上に設け、男女一対の親王１２を飾床１１上に設けている。【００１３】  １３は雛段３の最上段に親王段飾１と間隔を設けて並設する三人官女段飾全体を示し、１４は雛段３の最上段を二分割した広さの段床板であって、上面後方外寄りに親王用段床４より全体的に小さくした三人官女用段床１５を設け、全面中央に階段１６を設置している。
１７は三人官女であって、三人官女用段床１５上に座って前に一人後に立って二人となるよう飾り、後に屏風１８を設けている。【００１４】  １９は五人が一組とした飾り人形の内の蹴鞠であって、段床板１４上面で三人官女用段床１５前側に、廓状となるよう立傘２０と共に飾っている。
２１は円弧で凸状とした通路２２であって、親王用段床４と三人官女用段床１５間に着脱可能に架設している。【００１５】  ３は三段からなる雛段であって、最上段には前記の如く親王段飾１と三人官女段飾１３を飾ると共に、二段目２２の上面には飾り人形の内の五人囃子２３を従来と同じように飾っている。
２４は飾り人形の内の隋身であって、一段目２５の上面両端に飾り、その間に御駕篭２６と重箱２７と御所車２８を飾っている。
尚、その他の花などの飾りものや敷物類の小道具については、飾り方が殆ど従来と同じのため説明は省略する。【００１６】  使用に当たってその場所が広いので雛段２を用い、従来と同じように一段目２５上面に隋身２４を両側にその間に御駕篭２６と重箱２７と御所車２８を、二段目上面に五人囃子２３を飾る。
最上段には雛段に向かって右側に三人官女段飾１３を左側に親王段飾１を載置すると、三人官女用段床１５が外寄りに設けているため親王用段床４間に間隔が出来、その間に通路２２を架設して関係を保たせ雛飾として図１に示す如く飾る。
このように飾ると、最上段ががらりと違った飾り方のため全体的にも今迄と全く異なり斬新な雰囲気を漂わせ見た目にも美しく楽しい雛飾りとして飾って置くことが出来る。
【実施例２】
【００１７】  本実施例は雛段を用いて狭い場所にて雛飾りをする場合について説明する。
本実施例は実施例１の一部を流用して用いるので構成については説明を省略する。
狭い場所に飾る場合は雛段３を用いないで、親王段飾１を図２に示す如くそのまま必要な場所に設置して飾ればよい。【００１８】  尚、多少広いが高さに制限がある場所では、実施例１の図１に示す最上段となるよう向かって右側に三人官女段飾１３を左側に親王段飾１をその間に通路２２を架設して飾ると共に、広さ高さ共に狭く制限される場所では、親王飾６のみを図３に示す如く飾るようにしても良い。
このように、広い場所と狭い場所の何方に対しても対応が出来ると共に飾り方もそれぞれに合わせて変えて飾ることが可能であると共に、広い場所では斬新な雰囲気を又狭い場所では簡素ながらも気品に満ちた雰囲気を漂わせながら飾ることが出来る。
【産業上の利用可能性】
【００１９】  ３月３日桃の節句に飾られる雛飾として場所を問わず用いることが出来る。
【図面の簡単な説明】
【００２０】
【図１】  本考案実施例１の正面図である
【図２】  本考案実施例２の正面図である
【図３】  本考案実施例１及び実施例２の親王飾の正面図である
【符号の説明】
【００２１】１  親王段飾
２  段床板
３  雛段
４  親王用段床
５  階段
６  親王飾
７  屋根
８  床
９  柱
１０  後飾壁
１１  飾床
１２  親王
１３  三人官女段飾
１４  段床板
１５  三人官女用段床
１６  階段
１７  三人官女
１８  屏風
１９  蹴鞠
２０  立傘
２１  通路
２２  二段目
２３  五人囃子
２４  隋身
２５  一段目
２６  御駕篭
２７  重箱
２８  御所車
【図１】
0003135888.tif 000003
【図２】
0003135888.tif 000004
【図３】
0003135888.tif 000005